(57)【要約】【課題】コンテンツ送信装置における通信性能を満たしつつ視聴品質の低減幅を縮小する。【解決手段】通信環境計測手段１０２は通信環境を計測する。視聴品質決定手段１０１はコンテンツ受信装置２の特性とコンテンツ情報から、該コンテンツ受信装置２との通信帯域と、誤り訂正符合化率と、を決定する。視聴品質変換手段１０７は、前記決められた通信帯域に基づき、コンテンツ受信装置２に送られるコンテンツのビットレートを変換する。誤り訂正符号化手段１０４、２０５及び誤り訂正復号化手段１０５、２０２は、視聴品質決定手段１０１により決められた誤り訂正符合化率に基づき通信を行う。このような構成により、コンテンツ送信装置における通信性能を満たしつつ視聴品質の低減幅を縮小することが可能となる。【選択図】  図１
2009171427.tif 000002
【特許請求の範囲】
【請求項１】
コンテンツを送信するコンテンツ送信装置とそのコンテンツを受信し出力するコンテンツ受信装置とを含むコンテンツ視聴システムにおいて、
通信環境を計測する通信環境計測手段と、
前記コンテンツ受信装置の特性とコンテンツ情報から、該コンテンツ受信装置との通信帯域と、誤り訂正符合化率と、を決定する視聴品質決定手段と、
前記決められた通信帯域に基づき、前記コンテンツ受信装置に送られるコンテンツのビットレートを変換する視聴品質変換手段とを前記コンテンツ送信装置に備え、
前記視聴品質決定手段により決められた誤り訂正符合化率に基づき通信を行う誤り訂正復号化手段及び誤り訂正符合化手段を、前記コンテンツ送信装置と前記コンテンツ受信装置に備えることを特徴とするコンテンツ視聴システム。
【請求項２】
前記コンテンツ受信装置との通信データ量の履歴を保持する通信量保存手段と、
前記保持した情報から一定時間後の通信データ量を推定し視聴品質を予め変更する視聴品質決定手段とを前記コンテンツ送信装置に備えることを特徴とする請求項１に記載のコンテンツ視聴システム。
【請求項３】
同一コンテンツを視聴する前記コンテンツ受信装置が複数存在する場合に、それらコンテンツ受信装置に共通のコンテンツデータを割り当てる制御手段を前記コンテンツ送信装置に備えることを特徴とする請求項１に記載のコンテンツ視聴システム。
【請求項４】
通信環境を計測する工程と、
コンテンツ受信装置の特性とコンテンツ情報を保持する工程と、
前記保持した情報からコンテンツ受信装置との通信帯域と、誤り訂正符合化率とを決定する視聴品質決定工程と、
前記決定された通信帯域に基づき前記コンテンツ受信装置に送られるコンテンツのビットレートを変換する視聴品質変換工程と、
前記視聴品質決定工程により決められた誤り訂正符合化率に基づき通信を行う誤り訂正復号化工程とを有することを特徴とするコンテンツ視聴方法。
【請求項５】
請求項４に記載の方法の各工程をコンピュータに実行させるためのプログラム。
【発明の詳細な説明】
【技術分野】
【０００１】
本発明は、コンテンツ送信装置と複数のコンテンツ受信装置とを例えば無線通信で接続したコンテンツ視聴システム等に関する。
【背景技術】
【０００２】
従来の無線通信技術では、通信の際に起こる通信誤りを訂正する為に通信データに冗長データを付加して誤りを訂正する誤り訂正符号が用いられてきた。
【０００３】
誤り訂正符号に関する技術には、通信状況の判断手段と誤り訂正符合の符号化率を変化させる制御手段を有し、通信環境に応じて最適な符号化率で誤り訂正符合通信を行うことで通信に必要となる通信速度を低減させる技術がある（例えば特許文献１を参照）。具体的には、伝送装置間の通信状況が良好な場合には誤り訂正の符号化率を下げることでデータ通信に必要となる通信速度を低減させるようにしている。
【０００４】
また、受信装置数が増加した場合に前記手段により求められた装置の総数に応じた通信速度に各受信装置との通信速度を変更することで各受信装置において正常な映像の表示を可能にする技術がある（例えば特許文献２を参照）。また、この技術では各受信装置から送信装置に送信されるヘッダ情報にプライオリティ情報を含むことで通信速度の変更率を受信装置毎に変えることを可能にする。
【０００５】
【特許文献１】特開平７−３３６３３１号公報
【特許文献２】特開２００４−１６６００８号公報
【発明の開示】
【発明が解決しようとする課題】
【０００６】
コンテンツ送信装置とコンテンツ受信装置から成る無線通信システムにおいて、コンテンツ受信装置で正しくコンテンツの出力を行う為には、コンテンツ送信装置−コンテンツ受信装置間の通信速度がコンテンツ視聴の為の通信速度を満たさなければならない。しかしコンテンツ受信装置が増加するとコンテンツ送信装置へのアクセスが集中する為、各コンテンツ受信装置との通信速度を確保することが困難になり、コンテンツ受信装置で正しくコンテンツの出力が行われないという問題があった。
【０００７】
この問題に対して従来、通信状況の異なる受信装置毎に異なる符号化率の誤り訂正符合を用いて通信することで、各受信装置の通信状況に応じた最小の符号化率を適用し、全体の通信量を低減するという手法がとられていた。また、送信装置側の通信速度を上回ってしまった場合、各コンテンツ受信装置に固定的に割り当てられた優先度（プライオリティ情報）を基に各受信装置へ送信するコンテンツの視聴品質を変更して通信速度を満たす手法がとられてきた。
【０００８】
しかしながら、実際には受信装置毎にコンテンツ出力解像度等の特性・視聴コンテンツ・通信環境といった通信に関係するパラメータは動的に変化する。この為、従来の様に固定的なプライオリティ情報を参照して視聴品質を変更する手法では動的な環境の変化に対応することができず、効果的な視聴品質の割り当てが行えない。この結果コンテンツ受信装置における視聴品質の低減幅が拡大するという問題がある。
【０００９】
具体例として受信装置毎のコンテンツ出力解像度・視聴コンテンツが同等で一部の受信装置の通信環境が悪化する場合を考える。この場合に従来手法により視聴品質を決定すると、受信装置のプライオリティ情報のみを基に視聴品質が決定される為、仮に全ての受信装置のプライオリティ情報が同じであるとすると各受信装置の通信環境に関わらず視聴品質は全て同等に割り当てられる。
【００１０】
しかし、通信環境の良い受信装置に比べて通信環境の悪い受信装置との通信にはより多くの冗長符号を必要とする為、全ての受信装置の視聴品質を同等にすると全受信装置との通信における冗長符号の割合が増大する。このため、コンテンツを送信できる通信帯域が減少し、視聴品質の低減幅は拡大する。
【００１１】
本発明は係る実情に鑑みてなされたものであり、受信装置毎にコンテンツ出力解像度等の特性・視聴コンテンツ・通信環境といった通信に関係するパラメータは動的に変化する環境化において、視聴品質の低減幅を縮小し、視聴品質を向上させる。
【課題を解決するための手段】
【００１２】
本発明のコンテンツ視聴システムは、コンテンツを送信するコンテンツ送信装置とそのコンテンツを受信し出力するコンテンツ受信装置とを含むコンテンツ視聴システムにおいて、通信環境を計測する通信環境計測手段と、前記コンテンツ受信装置の特性とコンテンツ情報から、該コンテンツ受信装置との通信帯域と、誤り訂正符合化率と、を決定する視聴品質決定手段と、前記決められた通信帯域に基づき、前記コンテンツ受信装置に送られるコンテンツのビットレートを変換する視聴品質変換手段とを前記コンテンツ送信装置に備え、前記視聴品質決定手段により決められた誤り訂正符合化率に基づき通信を行う誤り訂正復号化手段及び誤り訂正符合化手段を、前記コンテンツ送信装置と前記コンテンツ受信装置に備えることを特徴とする。
また、本発明のコンテンツ視聴方法は、通信環境を計測する工程と、コンテンツ受信装置の特性とコンテンツ情報を保持する工程と、前記保持した情報からコンテンツ受信装置との通信帯域と、誤り訂正符合化率とを決定する視聴品質決定工程と、前記決定された通信帯域に基づき前記コンテンツ受信装置に送られるコンテンツのビットレートを変換する視聴品質変換工程と、前記視聴品質決定工程により決められた誤り訂正符合化率に基づき通信を行う誤り訂正復号化工程とを有することを特徴とする。
また、本発明のプログラムは、上記に記載の方法の各工程をコンピュータに実行させるためのプログラムである。
【発明の効果】
【００１３】
本発明によれば、視聴品質決定手段は各コンテンツ受信装置毎の特性情報・視聴コンテンツ情報を基に、コンテンツのビットレート低下に対して視聴品質が低下しにくい。
また、通信環境をもとにビットレートの低下による使用帯域の削減幅の大きいコンテンツ受信装置を選択し、視聴品質を優先的に低く設定することが可能となる。
また、視聴品質決定手段は各コンテンツ受信装置の通信環境情報をもとに、通信が正常に行われ、かつ誤り訂正符号量が最小となる誤り訂正符号率を各コンテンツ受信装置に設定することが可能となる。
このことで、コンテンツ送信装置における通信性能を満たしつつ視聴品質の低減幅を縮小することができる。
【発明を実施するための最良の形態】
【００１４】
（第１の実施の形態）
本発明の第１の実施形態の構成を図１に示す。図１のコンテンツ送信装置１において、誤り訂正復号化手段１０５は受信情報１１９をコンテンツ受信装置２の誤り訂正符号化率情報１１１を基に復号化し、コンテンツ受信装置２の特性情報及びコンテンツ情報を得る。ここで、受信情報１１９は、コンテンツ受信装置２から受信する情報であり、コンテンツ受信装置２の特性情報等に係る情報である。
【００１５】
コンテンツ受信装置２の特性情報及びコンテンツ情報とは、例として各コンテンツ受信装置２の有する出力手段２０４の出力解像度、視聴コンテンツのビットレート、視聴コンテンツの動きの特性等を表す。
【００１６】
またコンテンツ送信装置１は、誤り訂正復号化の際に検出されたエラー回数情報１１５をカウントして誤り訂正符合化率として通信環境計測手段１０２に入力する。
【００１７】
通信環境計測手段１０２は入力されたエラー回数情報１１５から通信環境情報１１６を算出し、視聴品質決定手段１０１に入力する。
【００１８】
ここで通信環境情報１１６はコンテンツ送信装置１、各受信装置２間の通信データ量に対するエラーの起こったデータの割合を表す。
【００１９】
視聴品質決定手段１０１は入力されたコンテンツ受信装置２の特性情報及びコンテンツ情報と通信環境情報１１６より、一定時間毎にコンテンツ受信装置２の視聴品質情報１１０を更新する。
【００２０】
視聴品質情報の決定の方針は、各コンテンツ受信装置２との通信量の合計がコンテンツ送信装置１の通信帯域上限を下回っている場合は、各コンテンツ受信装置２の要求する視聴品質を満たすことが可能である。よって、視聴品質情報１１０は各コンテンツ受信装置２から要求される視聴品質に設定する。
【００２１】
これに対して、通信帯域上限を上回る場合は、各コンテンツ受信装置２の特性情報及びコンテンツ情報と通信環境情報１１６に応じて各コンテンツ受信装置２の視聴品質を低減する。
【００２２】
視聴品質決定手段１０１における視聴品質決定アルゴリズムの例を図２を用いて説明する。
【００２３】
（ステップＳ１）
各コンテンツ受信装置２との通信環境情報１１６より、各コンテンツ受信装置２との通信が正常に行える値に誤り訂正符号化率を設定する。
【００２４】
（ステップＳ２）
ステップＳ１で設定した符号化率と各コンテンツ受信装置２から要求されるコンテンツ情報よりコンテンツ送信装置１で必要とされる通信速度を算出し、コンテンツ送信装置１の通信速度上限を満たしているか判断する。
【００２５】
（ステップＳ３）
ステップＳ２で満たしていると判断した場合は各コンテンツ受信装置２から要求されるコンテンツ情報に基づき視聴品質を設定し、ステップＳ９に移る。
【００２６】
（ステップＳ４）
ステップＳ２で満たしていないと判断した場合は各コンテンツ受信装置２の特性情報・コンテンツ情報・通信環境情報より視聴品質を変更するコンテンツ受信装置２を選択する。ここでは特性情報としてコンテンツ受信装置２の出力手段２０４の解像度、コンテンツ情報として動画コンテンツの動きの大小を用いる。それぞれに重み付けをして全コンテンツ受信装置２を順位付ける。具体的には解像度が低い受信装置２、動画の動きが小さい受信装置２、通信環境の悪い受信装置２を視聴品質を変更する候補として任意の重み付けをし、順位付ける。
【００２７】
（ステップＳ５）
ステップＳ４で求めた各順位からテーブルルックアップにより視聴品質を低下させる割合を決定する。この際用いるテーブルは視聴品質を低下させる順位が視聴品質を低下させる割合を指す構造になっており、順位の高い受信装置２ほど視聴品質の低下割合は大きく設定される。この割合とコンテンツ情報より各コンテンツ受信装置２における視聴品質を設定する。
【００２８】
（ステップＳ６）
ステップＳ１で設定した符号化率とステップＳ５で設定した視聴品質より、コンテンツ送信装置１で必要とされる通信速度を算出し、コンテンツ送信装置１の通信速度上限を満たしているか判断する。
【００２９】
（ステップＳ７）
ステップＳ６で満たしていると判断した場合は、ステップＳ５で設定した視聴品質を設定し、ステップＳ９に移る。
【００３０】
（ステップＳ８）
ステップＳ６で満たしていないと判断した場合は、ステップＳ５で使用するテーブルとしてより視聴品質低減幅の大きいものを参照し、ステップＳ５に戻る。
【００３１】
（ステップＳ９）
一定時間待機し、ステップＳ１に戻る。
【００３２】
以上の様にしてコンテンツの送信に必要とされる通信速度がコンテンツ送信装置１の通信速度の上限を満たす様に各コンテンツ受信装置２の視聴品質情報１１０と訂正符号化率情報１１１を更新する。
【００３３】
図１に戻り、制御手段１０９は各コンテンツ受信装置２に対して要求されるコンテンツデータを選択する為の制御情報１１８をセレクタ１０６と視聴品質変換手段１０７に入力する。
【００３４】
セレクタ１０６は制御情報１１８で指定されるコンテンツ受信装置２のコンテンツデータ１（１１３）・２（１１４）を選択して視聴品質変換手段１０７に入力する。
【００３５】
視聴品質変換手段１０７は制御情報１１８で指定されるコンテンツ受信装置２の視聴品質情報１１０に基づき、入力された映像・音声コンテンツデータのビットレートを変換する。変換したコンテンツデータ１１７は誤り訂正符合化手段１０４に入力される。
【００３６】
誤り訂正符合化手段１０４は入力されたコンテンツデータ１１７をコンテンツ受信装置２の符合化率情報１１１に基づく符合化率で誤り訂正符合化し、符号化された送信情報１２０をＲＦ送受信手段１０８に入力する。
【００３７】
ＲＦ送受信手段１０８は入力された送信情報１２０を該当コンテンツ受信装置２に送信する。また、任意のコンテンツ受信装置２から受信した受信情報１０８を誤り訂正復号化手段１０５に入力する。
【００３８】
次に図１のコンテンツ受信装置２において、誤り訂正復号化手段２０２はＲＦ送受信手段２０１から入力される受信情報２０７を符合化率情報２０９で示される符合化率で誤り訂正復号化し、コンテンツデータ２１１を出力する。さらに、受信情報２０７を参照して符合化率情報２０９を更新する。
【００３９】
出力手段２０４は入力されたコンテンツデータ２１１をディスプレイ・スピーカ等の出力デバイスに出力する。
【００４０】
プライオリティ設定手段２１０は外部の入力を受けて該当コンテンツ受信装置２の特性情報２０６を設定する。特性情報２０６は該当コンテンツ受信装置２の出力手段が有するディスプレイの解像度や該当コンテンツ受信装置２の優先度等の情報を含む。
【００４１】
誤り訂正符合化手段２０５はコンテンツ受信装置２の特性情報２０６を符合化率情報２０９に基づく符号化率で誤り訂正符合化し、送信情報２０８を出力する。
【００４２】
ＲＦ送受信手段２０１は入力される送信情報２０８をコンテンツ送信装置に送信する。また、コンテンツ送信装置１から受信した受信情報２０７を誤り訂正復号化手段２０２に入力する。
【００４３】
この実施形態ではコンテンツ送信装置１におけるデータ通信量がコンテンツ送信装置１の通信速度の上限を超える場合、解像度が低い受信装置、動画の動きが小さい受信装置、通信環境の悪い受信装置が優先的に視聴品質を低く設定される。解像度の低い受信装置及び動画の動きが小さい受信装置はビットレート低下が視聴品質の低下につながりにくく、通信環境の悪い受信装置は誤り訂正符号率が高いため、ビットレート低下による通信帯域削減幅が大きい。
【００４４】
また各コンテンツ受信装置２に対してコンテンツ視聴が正常に行われ、誤り訂正符合量が最小となる値に誤り訂正符号率が設定される。
【００４５】
この様にして設定された視聴品質及び誤り訂正符号率に基づいてコンテンツを送受信することで、コンテンツ送信装置１における通信性能を満たしつつ視聴品質の低減幅を縮小することができる。
【００４６】
（第２の実施の形態）
次に本発明の他の実施形態の構成を図１に示した構成を用いて説明する。この構成ではコンテンツ送信装置１内に通信量保存手段１０３を持ち、視聴品質決定手段１０１において通信量保存手段１０３の情報を参照して視聴品質を決定する点が第１の実施形態の構成と異なる。
【００４７】
通信量保存手段１０３では視聴品質決定手段１０１により決定された各コンテンツ受信装置２との通信の際のコンテンツデータ量と誤り訂正符号量の履歴を保持する。
【００４８】
視聴品質決定手段１０１における視聴品質決定アルゴリズムの例を図３を用いて説明する。このアルゴリズムでは図２のステップＳ２において通信速度を満たすと判断された場合以降の処理が異なる。
【００４９】
（ステップＳ１０）
通信量保存手段１０３に保持されている過去任意回の通信量の履歴を参照し、通信量が変化しているか否かを判断する。通信量が不変・減少している場合はステップＳ３へ進み、視聴品質を各コンテンツ受信装置２より要求される値に設定する。通信量が増加している場合はステップＳ１１へ進み、一定時間後の通信量の推定値に基づく視聴品質の決定を行う。
【００５０】
（ステップＳ１１）
通信量保存手段１０３に保持されている過去任意回の通信量の履歴より、各コンテンツ受信装置２のコンテンツ通信量及び誤り訂正符号量を線形近似し、一定時間後のコンテンツ通信量・誤り訂正符号量を推定する。
【００５１】
（ステップＳ１２）
ステップＳ１１で推定した一定時間後のコンテンツ通信量・誤り訂正符号量の和がコンテンツ送信装置１の通信性能を満たすか否かの判断を行う。満たす場合は視聴品質を変更する必要が無い為ステップＳ３へ進み、視聴品質を各コンテンツ受信装置２より要求される値に設定する。満たさない場合は視聴品質を低下させる必要がある為、ステップＳ１３へ進み、ステップＳ１３〜Ｓ１４の処理を適用して視聴品質を一段階下げる。
【００５２】
（ステップＳ１３）
ここではステップＳ４と同様の処理を行う。具体的には、各コンテンツ受信装置の特性情報・コンテンツ情報・通信環境情報より視聴品質を変更するコンテンツ受信装置２を選択する。ここでは特性情報としてコンテンツ受信装置の出力手段２０４の解像度、コンテンツ情報として動画コンテンツの動きの大小を用い、それぞれに重み付けをして全コンテンツ受信装置を順位付ける。また、解像度が低い受信装置、動画の動きが小さい受信装置、通信環境の悪い受信装置を視聴品質を変更する候補として任意の重み付けをし、順位付ける。
【００５３】
（ステップＳ１４）
ステップＳ１３で求めた各順位からテーブルルックアップにより視聴品質を低下させる割合を決定する。この際用いるテーブルは視聴品質を低下させる順位が視聴品質を低下させる割合を指す構造になっており、順位の高い受信装置ほど視聴品質の低下割合は大きく設定される。この割合とコンテンツ情報より各コンテンツ受信装置における視聴品質を設定する。この実施形態では前もって視聴品質を低下させておくことで、一定時間後にさらに通信環境が悪化した場合の視聴品質の低下幅を縮小し、段階的に視聴品質が大きく変化するのを防ぐ。
【００５４】
即ち、この実施形態では、コンテンツ視聴システムにおいて、通信量保存手段１０３は各コンテンツ受信装置２との通信量の履歴を保持する。視聴品質決定手段１０１は前記手段により保持された通信量の履歴を参照して一定時間後の通信量を推定し、推定値がコンテンツ送信装置１の通信性能を満たさない場合は前もって視聴品質を低下させる。例として任意のコンテンツ受信装置２が移動しており、コンテンツ送信装置１との通信環境が悪化する場合が考えられる。この様な場合、前もって視聴品質を低下させておくことで、一定時間後にさらに通信環境が悪化した場合の視聴品質の低下幅を縮小し、段階的に視聴品質が大きく変化するのを防ぐことができる。
【００５５】
（第３の実施の形態）
次に本発明の他の実施形態の構成を図１に示した構成を用いて説明する。この構成では制御手段１０９において同一コンテンツを視聴するコンテンツ受信装置２が同時に複数存在することを検知した場合、それらのコンテンツ受信装置２に対して共通のコンテンツデータ１１７を割り当てコンテンツ送信装置１における通信量を削減する。この実施形態では制御手段１０９は同一コンテンツを視聴するコンテンツ受信装置２が同時に複数存在する場合、それらのコンテンツ受信装置２に対して共通のコンテンツデータを割り当てる。このことでコンテンツ送信装置１における通信量を削減できる為、各コンテンツ受信装置２における視聴品質を向上できる。
【００５６】
即ち、この実施形態では、制御手段１０９は同一コンテンツを視聴するコンテンツ受信装置２が同時に複数存在する場合、それらのコンテンツ受信装置に対して共通のコンテンツデータを割り当てる。このことで、コンテンツ送信装置１における通信量を削減できる為、各コンテンツ受信装置２における視聴品質を向上できる。
【００５７】
（第４の実施の形態）
次に本発明の他の実施形態の構成を図１に示した構成を用いて説明する。この構成ではコンテンツ受信装置２の優先度を設定する為のプライオリティ設定手段をコンテンツ送信装置またはコンテンツ受信装置に備えるようにする。
【００５８】
優先度は例として高・低の２値で保持し、ユーザが日常的に用いるコンテンツ受信装置２をプライオリティ設定手段を用いて優先度を高とし、その他のコンテンツ受信装置２の優先度を低とする。尚、優先度情報はコンテンツ受信装置２の特性情報に含む。
【００５９】
コンテンツ送信装置に備えた制御手段１０９が前記手段により設定された優先度の低いコンテンツ受信装置の視聴コンテンツを優先度の高いコンテンツ受信装置２の視聴コンテンツに制限する。そして、同一コンテンツを視聴するコンテンツ受信装置２に対して共通のコンテンツデータ１１７を割り当て、コンテンツ送信装置１における通信量を削減する。このことで、コンテンツ送信装置１における通信量を削減できる為、各コンテンツ受信装置２における視聴品質を向上できる。
【００６０】
即ち、この実施形態では、プライオリティ情報設定手段により、コンテンツ受信装置２に対して優先するコンテンツ受信装置２を設定する。制御手段１０９は前記手段により設定されたプライオリティ情報の低いコンテンツ受信装置２の視聴可能なコンテンツをプライオリティ情報の高いコンテンツ受信装置２の視聴しているコンテンツに制限する。これにより、それらのコンテンツ受信装置２に対して共通のコンテンツデータを割り当てる。このことで、コンテンツ送信装置１における通信量を削減できる為、各コンテンツ受信装置２における視聴品質を向上できる。
【００６１】
なお、本発明はコンピュータ等にインストールされたプログラムによっても実現できることは当然である。
【００６２】
また、本発明を実現するために、上述した実施形態の機能を実現するソフトウェアのプログラムコード（コンピュータプログラム）を記録した記録媒体を用いても良い。この場合には記録媒体をシステム或いは装置に供給し、そのシステム或いは装置のコンピュータ（又はＣＰＵやＭＰＵ）が記録媒体に格納されたプログラムコードを読み出し実行することによって本発明の目的が達成される。
【００６３】
この場合、記録媒体から読み出されたプログラムコード自体が上述した実施形態の機能を実現することになり、プログラムコード自体及びそのプログラムコードを記憶した記録媒体は本発明を構成することになる。
【００６４】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６５】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００６６】
さらに、記録媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００６７】
【図１】本発明の実施の形態に係るコンテンツ視聴システムの構成を示す図である。
【図２】本発明の実施の形態に係るコンテンツ視聴システムにおける動作を説明するフローチャートである。
【図３】本発明の実施の形態に係るコンテンツ視聴システムにおける動作を説明するフローチャートである。
【符号の説明】
【００６８】
１  コンテンツ送信装置
２  コンテンツ受信装置
１０１  視聴品質決定手段
１０２  通信環境計測手段
１０３  通信料保存手段
１０４、２０５  誤り訂正符合化手段
１０５、２０２  誤り訂正復号化手段
１０６  セレクタ
１０７  視聴品質変換手段
１０８、２０１  ＲＦ送受信手段
１０９  制御手段
２０４  出力手段
２１０  プライオリティ設定手段
【図１】
2009171427.tif 000003
【図２】
2009171427.tif 000004
【図３】
2009171427.tif 000005